(57)【要約】【課題】本体面材を閉じた状態にも通風を行うことができ、かつ障子を閉じた場合には雨水等の水が室内に浸入する事態を防止する。【解決手段】障子２１０において複層ガラス２１１の下縁に設けた下框部材２１３には、枠体２２０において開口部２００の下縁に設けた下枠部材２２２の上面に対向する部位に、複層ガラス２１１と下框部材２１３との隙間に浸入した水を外部に排出する框排水孔２１３ｅが設けてあり、下枠部材２２２の上面には、障子２１０が閉じた際の框排水孔２１３ｅの下方域を含んで室内側となる領域に下枠部材２２２の長手方向に沿った排水溝２２ｆを設け、排水溝２２ｆの水を枠排水孔２２２ｇ、下枠部材２２２の中空内部及び下枠部材２２２に設けた外部排水孔２２２ｉを介して室外側に排出するようにした。【選択図】図５
2015218485.tif 000002
【特許請求の範囲】
【請求項１】
矩形状の開口部を有した本体面材と、前記開口部に設けられ、上枠部材、下枠部材及び左右の縦枠部材によって構成された枠体と、面材の四周に上框部材、下框部材及び左右の縦框部材を配設することによって構成された障子とを備え、前記障子が室内側に開くように設置される建具であって、
前記下框部材には、前記下枠部材の上面に対向する部位に、前記面材と前記下框部材との隙間に浸入した水を前記下枠部材の上面に排出する框排水孔が設けてあり、
前記下枠部材の上面には、前記障子が閉じた際の前記框排水孔の下方域を含んで室内側となる領域に前記の長手方向に沿った排水溝を設けるとともに、前記排水溝は、前記排水溝の水を室外側に案内する排水経路に接続されたことを特徴とする建具。
【請求項２】
前記下枠部材は、中空状を成す枠基部を有したものであり、
前記排水経路は、前記排水溝の水を前記枠基部の中空内部に排出させる枠排水孔と、前記枠基部の室外側に臨む見付け面に形成した外部排水孔と有し、前記枠排水孔、前記枠基部の中空内部及び前記外部排水孔を介して前記排水溝の水を室外側に案内することを特徴とする請求項１に記載の建具。
【請求項３】
前記下枠部材と前記下框部材との間に介在するアームを有し、前記アームはベースを介して前記下枠部材に取り付けてあり、前記下枠部材には、前記ベースによって覆われる位置に前記枠排水孔を形成したことを特徴とする請求項２に記載の建具。
【請求項４】
前記下枠部材には、前記障子よりも室内側に突出するように水受け部を設けたことを特徴とする請求項１に記載の建具。
【請求項５】
前記下枠部材の上面において前記排水溝よりも室内側に位置する縁部には、上方に向けて突出する水返しを設けたことを特徴とする請求項１に記載の建具。
【発明の詳細な説明】
【技術分野】
【０００１】
本発明は、建具に関するもので、詳細には本体面材に開口部を備えるとともに、開口部を開閉する障子を備えた建具に関するものである。
【背景技術】
【０００２】
昨今の玄関ドアには、本体面材に開口部を設けるようにしたものが提供されている。この種のドアでは、玄関を閉めた状態でも室内外で通風を行うことが可能となる。本体面材の開口部には、枠体を介して障子が設けられている。障子は、例えばフリクションステーを介して本体面材の枠体に開閉可能に支持されており、開口部を閉じた状態と、開口部を開放した状態とに切り替えることが可能である。障子は、防犯上の理由から室内側に開くように構成されているのが一般的である（例えば特許文献１参照）。
【先行技術文献】
【特許文献】
【０００３】
【特許文献１】特開２０１３−１３３６０５号公報
【発明の概要】
【発明が解決しようとする課題】
【０００４】
ところで、上述の玄関ドアでは、障子が本体面材に対して室内側に開くように設けられたものであるため、室外側から受ける風雨が、障子と枠体との隙間が広がるように作用することになる。このため、障子と枠体との間にタイト材が設けられている場合であっても、雨水が障子と枠体との間から室内に浸入するおそれがある。
【０００５】
本発明は、上記実情に鑑みて、本体面材を閉じた状態にも通風を行うことができ、かつ障子を閉じた場合には雨水等の水が室内に浸入する事態を防止することのできる建具を提供することを目的とする。
【課題を解決するための手段】
【０００６】
上記目的を達成するため、本発明に係る建具は、矩形状の開口部を有した本体面材と、前記開口部に設けられ、上枠部材、下枠部材及び左右の縦枠部材によって構成された枠体と、面材の四周に上框部材、下框部材及び左右の縦框部材を配設することによって構成された障子とを備え、前記障子が室内側に開くように設置される建具であって、前記下框部材には、前記下枠部材の上面に対向する部位に、前記面材と前記下框部材との隙間に浸入した水を前記下枠部材の上面に排出する框排水孔が設けてあり、前記下枠部材の上面には、前記障子が閉じた際の前記框排水孔の下方域を含んで室内側となる領域に前記の長手方向に沿った排水溝を設けるとともに、前記排水溝は、前記排水溝の水を室外側に案内する排水経路に接続されたことを特徴とする。
【０００７】
この発明によれば、下框部材に框排水孔を設け、かつ下枠部材の上面において框排水孔の下方域を含んで室内側となる領域に排水溝を設けるようにしているため、本体面材と障子との隙間から浸入した水や障子の面材と下框部材との隙間から浸入した水を排水溝で受け止めて室外側に案内することができ、室内に水が浸入する事態を防止することが可能となる。
【０００８】
また本発明は、上述した建具において、前記下枠部材は、中空状を成す枠基部を有したものであり、前記排水経路は、前記排水溝の水を前記枠基部の中空内部に排出させる枠排水孔と、前記枠基部の室外側に臨む見付け面に形成した外部排水孔と有し、前記枠排水孔、前記枠基部の中空内部及び前記外部排水孔を介して前記排水溝の水を室外側に案内することを特徴とする。
【０００９】
この発明によれば、排水溝で受け止めた水が、枠排水孔、枠基部の中空内部及び外部排水孔を介して室外側に案内される。
【００１０】
また本発明は、上述した建具において、前記下枠部材と前記下框部材との間に介在するアームを有し、前記アームはベースを介して前記下枠部材に取り付けてあり、前記下枠部材には、前記ベースによって覆われる位置に前記枠排水孔を形成したことを特徴とする請求項２に記載の建具。
【００１１】
この発明によれば、障子を開いた場合にも、下枠部材の排水溝に設けた枠排水孔はベースによって覆われるため、建具の外観品質が損なわれるおそれがない。
【００１２】
また本発明は、上述した建具において、前記下枠部材には、前記障子よりも室内側に突出するように水受け部を設けたことを特徴とする。
【００１３】
この発明によれば、障子から滴下した水を下枠部材の水受け部によって受け止めることができる。
【００１４】
また本発明は、上述した建具において、前記下枠部材の上面において前記排水溝よりも室内側に位置する縁部には、上方に向けて突出する水返しを設けたことを特徴とする。
【００１５】
この発明によれば、下枠部材の上面に水が到達した場合にも、水返しによって室内への浸入を防止することができる。
【発明の効果】
【００１６】
本発明によれば、下框部材に框排水孔を設け、かつ下枠部材の上面において框排水孔の下方域を含んで室内側となる領域に排水溝を設けるようにしているため、本体面材と障子との隙間から浸入した水や障子の面材と下框部材との隙間から浸入した水を排水溝で受け止めて室外側に案内することができ、室内に水が浸入する事態を防止することが可能となる。
【図面の簡単な説明】
【００１７】
【図１】図１は、本発明の実施の形態である建具を室外側から見た図である。
【図２】図２は、図１に示した建具を室内側から見た図である。
【図３】図３は、図１に示した建具の横断面図である。
【図４】図４は、図１に示した建具の縦断面図である。
【図５】図５は、図１に示した建具の要部拡大縦断面図である。
【図６】図６は、図１に示した建具において下枠部材に設けた排水溝及び枠排水孔と下枠部材に設けたアーム及びベースとの相対位置を示すための平面図である。
【図７】図７は、図１に示した建具において下枠部材に設けた排水溝及び枠排水孔と障子及び障子に設けた框排水孔との相対位置を示すための平面図である。
【図８−１】図８−１は、図１に示した建具に適用する下枠部材の断面図である。
【図８−２】図８−２は、図８−１に示した下枠部材を室内側から見た図である。
【図８−３】図８−３は、図８−１に示した下枠部材を室外側から見た図である。
【発明を実施するための形態】
【００１８】
以下、添付図面を参照しながら本発明に係る建具の好適な実施の形態について詳細に説明する。
【００１９】
図１〜図４は、本発明の実施の形態である建具を示したものである。ここで例示する建具は、玄関用ドアとして用いられるもので、ドア枠１０と本体面材２０とを備えている。ドア枠１０は、ドア用上枠部材１１と左右一対のドア用縦枠部材１２とを備え、これらのドア用枠部材１１，１２を玄関のたたきに設けたドア用下枠部材１３に対して門型に組み合わせることにより構成したもので、玄関の開口縁に沿う状態で躯体（図示せず）に取り付けてある。本体面材２０は、骨材２１を四周枠組みすることによって構成したドア框と、ドア框の表裏両面にそれぞれ接合した表面パネル２２とを備えたもので、ドア枠１０を覆うことのできる大きさの矩形状に構成してある。図には明示していないが、表面パネル２２の相互間には、ウレタンや発泡スチロール等の芯材が充填してある。この本体面材２０は、上下に延在する骨材２１の一方と、ドア用縦枠部材１２の一方との間の複数位置にヒンジ１４を介在させることにより、上下方向に沿ったヒンジ１４軸を中心として室外側に開くことが可能となるようにドア枠１０に支持してある。
【００２０】
本体面材２０には、開口部２００が設けてあるとともに、開口部２００を開閉するように障子２１０が取り付けてある。開口部２００は、本体面材２０の上下方向に沿った縦長の矩形状を成すもので、本体面材２０を貫通するように形成してある。開口部２００の四周には、枠体２２０が設けてある。枠体２２０は、上枠部材２２１、下枠部材２２２及び一対の縦枠部材２２３を枠組みすることによって構成したものである。図３及び図４からも明らかなように、本実施の形態で例示する枠体２２０では、上枠部材２２１と下枠部材２２２とが互いに対称の構成を有し、かつ左右の縦枠部材２２３が互いに対称の構成を有するように構成してある。
【００２１】
上枠部材２２１及び下枠部材２２２は、それぞれ中空の略角筒状を成す枠基部２２１ａ，２２２ａを主体としてアルミニウムやアルミニウム合金によって成形した押し出し形材であり、長手方向の全長にわたってほぼ一様な断面形状に構成してある。これら上枠部材２２１及び下枠部材２２２には、それぞれの枠基部２２１ａ，２２２ａに枠支持ヒレ部２２１ｂ，２２２ｂ、外側当接ヒレ部２２１ｃ，２２２ｃ、受け部２２１ｄ，２２２ｄが一体に設けてある。
【００２２】
枠支持ヒレ部２２１ｂ，２２２ｂは、枠基部２２１ａ，２２２ａにおいて外周側となる見込み面の室外側縁部から室外側に向けて延在した後、外周側に屈曲した部分である。それぞれの枠支持ヒレ部２２１ｂ，２２２ｂは、枠基部２２１ａ，２２２ａにおいて外周側となる見込み面を開口部２００の見込み面に対向させた場合に、本体面材２０の室外側に位置し、本体面材２０と枠基部２２１ａ，２２２ａとの隙間を覆うように配置されることになる。
【００２３】
外側当接ヒレ部２２１ｃ，２２２ｃは、枠基部２２１ａ，２２２ａにおいて内周側となる見込み面の室外側縁部から互いに内周側に向けて突出した平板状部分である。それぞれの外側当接ヒレ部２２１ｃ，２２２ｃには、突出端部において室内側に臨む見付け面の長手方向に沿った全長に外側タイト材２２４が設けてある。
【００２４】
受け部２２１ｄ，２２２ｄは、室内側に臨む見付け面の高さ方向略中間部から室内側に向けて突出した部分であり、本体面材２０の室内側に臨む表面パネル２２の表面よりも突出している。図５からも明らかなように、枠基部２２１ａ，２２２ａにおいて室内側に臨む見付け面の内周側縁部には、長手方向に沿った全長に内側タイト材２２５が設けてある。
【００２５】
左右の縦枠部材２２３は、図６及び図７に示すように、それぞれ室外側構成要素２２３Ａと室内側構成要素２２３Ｂとを見込み方向に沿って並設し、かつ互いの間を断熱材２２３Ｃによって連結したものである。室外側構成要素２２３Ａと室内側構成要素２２３Ｂとを連結した状態においては、見込み方向に沿った寸法が、下枠部材２２２とほぼ同じとなるように構成してある。
【００２６】
室外側構成要素２２３Ａは、略角筒状を成す外側枠基部２２３Ａａを主体としてアルミニウムやアルミニウム合金によって成形した押し出し形材であり、それぞれが長手方向の全長にわたってほぼ一様な断面形状に構成してある。室外側構成要素２２３Ａには、外側枠基部２２３Ａａに枠支持ヒレ部２２３Ａｂ及び外側当接ヒレ部２２３Ａｃが一体に設けてある。
【００２７】
枠支持ヒレ部２２３Ａｂは、外側枠基部２２３Ａａにおいて外周側となる見込み面の室外側縁部から室外側に向けて延在した後、外周側に屈曲した部分であり、下枠部材２２２の枠支持ヒレ部２２２ｂと同様の機能を有している。外側当接ヒレ部２２３Ａｃは、外側枠基部２２３Ａａにおいて内周側となる見込み面の室外側縁部から互いに内周側に向けて突出した平板状部分である。それぞれの外側当接ヒレ部２２３Ａｃには、室内側に臨む見付け面の中間部において長手方向に沿った全長に外側タイト材２２４が設けてある。この外側タイト材２２４は、上枠部材２２１及び下枠部材２２２のそれぞれに設けた外側タイト材２２４と連続するものである。
【００２８】
室内側構成要素２２３Ｂは、略角筒状を成す内側枠基部２２３Ｂａを主体として、室外側構成要素２２３Ａと同様、アルミニウムやアルミニウム合金によって成形した押し出し形材であり、それぞれが長手方向の全長にわたってほぼ一様な断面形状に構成してある。室内側構成要素２２３Ｂには、内側枠基部２２３Ｂａにタイト材保持部２２３Ｂｂが一体に設けてある。タイト材保持部２２３Ｂｂは、内側枠基部２２３Ｂａにおいて内周側となる見込み面のほぼ中間となる位置から内周側に向けて突出した部分であり、室内側に臨む見付け面の長手方向に沿った全長に内側タイト材２２５が設けてある。この内側タイト材２２５は、上枠部材２２１及び下枠部材２２２のそれぞれに設けた内側タイト材２２５と連続するものである。
【００２９】
上枠部材２２１及び下枠部材２２２には、受け部２２１ｄ，２２２ｄの室内側に臨む見付け面に内装カバー部材２３０が取り付けてあり、縦枠部材２２３には、室内側構成要素２２３Ｂの内側枠基部２２３Ｂａにおいて室内側に臨む見付け面に内装カバー部材２３０が取り付けてある。内装カバー部材２３０は、本体面材２０と枠部材２２１，２２２，２２３との接合面を覆い隠すように、個々の枠部材２２１，２２２，２２３の見付け面から本体面材２０の表面にわたって配設してある。
【００３０】
障子２１０は、面材となる複層ガラス２１１の四周にそれぞれ上框部材２１２、下框部材２１３及び左右の縦框部材２１４を設けて構成したものである。これらの框部材２１２，２１３，２１４は、略角筒状を成す框基部２１２ａ，２１３ａ，２１４ａを主体としてアルミニウムやアルミニウム合金によって成形した押し出し形材であり、長手方向の全長にわたってほぼ一様な断面形状に構成してある。これらの框部材２１２，２１３，２１４には、それぞれの框基部２１２ａ，２１３ａ，２１４ａに一対の面材支持部２１２ｂ，２１３ｂ，２１４ｂ、内側当接ヒレ部２１２ｃ，２１３ｃ，２１４ｃが一体に設けてある。面材支持部２１２ｂ，２１３ｂ，２１４ｂは、框基部２１２ａ，２１３ａ，２１４ａにおいて内周側となる見込み面の両側縁部からそれぞれ内周側に向けて突出した後、突出端部が互いに近接する方向に屈曲したものであり、互いの間にガスケット２１５を介して複層ガラス２１１を支持している。内側当接ヒレ部２１２ｃ，２１３ｃ，２１４ｃは、框基部２１２ａ，２１３ａ，２１４ａにおいて外周側となる見込み面の室内側に位置する縁部から外周側に向けて突出したもので、突出端部が室外側に向けて突出するように形成してある。
【００３１】
この障子２１０は、上框部材２１２と上枠部材２２１との間及び下框部材２１３と下枠部材２２２との間にそれぞれフリクションステー２４０を介在させることにより、縦すべり出し窓として室内側に開くことが可能である。フリクションステー２４０は、図３に示すように、プレート状を成す一対のステーベース２４１，２４２と、これらのステーベース２４１，２４２の間を接続する一対のステーアーム２４３，２４４とを備えたもので、一方のステーベース２４１を障子２１０に固定し、かつ他方のステーベース２４２（以下、区別する場合に「枠用ステーベース２４２」という）を枠体２２０に固定することにより、枠体２２０に対して障子２１０を開閉可能に支持している。尚、図２中の符号２５０は、戸先となる縦框部材２１４に配設したハンドルである。このハンドル２５０は、障子２１０と枠体２２０との間に設けた図示せぬ錠装置を解錠操作するためのものである。
【００３２】
図１、図３、図４に示すように、障子２１０の室外側に臨む部分には、外装カバー２６０が設けてある。外装カバー２６０は、障子２１０の上下に配設した上方カバープレート２６１及び下方カバープレート２６２と、障子２１０の左右に配設した左方カバープレート２６３及び右方カバープレート２６４とを備えたものである。上方カバープレート２６１は、障子２１０が閉じた状態において、上框部材２１２の見付け面から上枠部材２２１の見付け面を経て本体面材２０の表面パネル２２において上枠部材２２１よりも上方に位置する表面を覆うように設けてある。下方カバープレート２６２は、障子２１０が閉じた状態において、下框部材２１３の見付け面から下枠部材２２２の見付け面を経て本体面材２０の表面パネル２２において下枠部材２２２よりも下方に位置する表面を覆うように設けてある。左右のカバープレート２６３，２６４は、枠体２２０の縦枠部材２２３を覆い、かつ本体面材２０の上下両端に至る部分を覆うように設けてある。これら上方カバープレート２６１、下方カバープレート２６２及び左右のカバープレート２６３，２６４の間に構成される開口部は、防虫用のネット２６５を張ることによって覆ってある。
【００３３】
上記のように構成した玄関用ドアでは、図３及び図４に示すように、枠部材２２１，２２２，２２３に対して障子２１０を閉じて錠装置（図示せず）が施錠された場合、框部材２１２，２１３，２１４の室外側に臨む見付け面にそれぞれ枠部材２２１，２２２，２２３の外側当接ヒレ部２２１ｃ，２２２ｃ，２２３Ａｃに設けた外側タイト材２２４が圧接された状態となる。また、障子２１０の内側当接ヒレ部２１２ｃ，２１３ｃ，２１４ｃに対しては、枠部材２２１，２２２，２２３に設けた内側タイト材２２５が圧接された状態となる。従って、枠体２２０と障子２１０との間には、室外側の外側タイト材２２４及び室内側の内側タイト材２２５によって二重に水密性が確保されることになる。しかも、障子２１０は、玄関用ドアを閉じた状態においても本体面材２０に対して室内側に開くように構成したものである。従って、防犯性を確保した状態で、開口部２００を介して室外と室内との間に空気を流通させることが可能となる。
【００３４】
ここで、上述した枠体２２０と障子２１０との間の水密性は、障子２１０に外力が加えられていない場合に担保されるものである。例えば、本体面材２０に対して障子２１０を室内側に押すような外力が加えられた場合には、外側タイト材２２４と框部材２１２，２１３，２１４の見付け面との間隔が広がるとともに、障子２１０の内側当接ヒレ部２１２ｃ，２１３ｃ，２１４ｃと内側タイト材２２５との間隔が広がることになるため、それぞれのタイト材２２４，２２５の水密機能が低下することになる。従って、室外から受ける風雨の圧力が大きい場合には、それぞれのタイト材２２４，２２５との隙間から雨水が浸入するおそれがある。また、框部材２１２，２１３，２１４と複層ガラス２１１との間の隙間についても、複層ガラス２１１が風雨を受けた場合、ガスケット２１５が撓むことによって雨水が浸入するおそれがある。
【００３５】
そこで、上述の玄関用ドアでは、下框部材２１３において一対の面材支持部２１３ｂの間に位置する框基部２１３ａの上壁に框上方排水孔２１３ｄを設けるとともに、下框部材２１３において下枠部材２２２に対向する框基部２１３ａの下壁に框下方排水孔（框排水孔）２１３ｅを設けるようにしている。また、下枠部材２２２には、枠基部２２２ａの上面に水返し２２２ｅ及び排水溝２２２ｆを設けるようにしている。水返し２２２ｅは、枠基部２２２ａの上面において最も室内側に位置する縁部のほぼ全長を上方に向けてわずかに突出させることによって構成したものである。排水溝２２２ｆは、図５〜図７に示すように、枠基部２２２ａの上面において框下方排水孔２１３ｅを含んで室内側となる領域に開口するように下枠部材２２２の長手方向に沿って形成した一連の凹溝である。この排水溝２２２ｆには、枠排水孔２２２ｇが設けてある。枠排水孔２２２ｇは、排水溝２２２ｆに貯留された水を下枠部材２２２の内部に排出するためのものである。図５及び図６に示すように、本実施の形態では、排水溝２２２ｆを跨ぐように下枠部材２２２にフリクションステー２４０の枠用ステーベース２４２が取り付けてあるとともに、この枠用ステーベース２４２によって覆い隠される位置の２箇所に枠排水孔２２２ｇを設けるようにしている。
【００３６】
さらに、下枠部材２２２の受け部２２２ｄについては、閉じた状態の障子２１０よりも室内側に突出させて水受け部として機能させるとともに、下枠部材２２２に水受け排水孔２２２ｈ及び外部排水孔２２２ｉを設けるようにしている。受け部２２２ｄの上面は、室外側に向けて漸次下方となるように傾斜させてある。受け部２２２ｄにおいて最も室内側に位置する縁部には、上方に向けて突出するように返し２２２ｊが設けてある。水受け排水孔２２２ｈは、枠基部２２２ａの室内側に臨む見付け面において受け部２２２ｄよりも上方となる位置に開口したもので、受け部２２２ｄで受け止めた水を下枠部材２２２の内部に排出するためのものである。この水受け排水孔２２２ｈは、図５、図８−１及び図８−２に示すように、一方の縦枠部材２２３に近接し、かつ開口の水平延長域が下枠部材２２２に設けた内装カバー部材２３０によって覆われるように構成してある。外部排水孔２２２ｉは、枠基部２２２ａの室外側に臨む見付け面において外周側となる縁部に開口したもので、図８−３に示すように、下枠部材２２２のほぼ中央となる位置に設けてあるものの、外装カバー２６０の下方カバープレート２６２によって覆われており、室外側から直接視認することは困難である。図５に示すように、下枠部材２２２の枠基部２２２ａは、下壁の上面が室外側に向けて漸次下方となるようにわずかに傾斜しているとともに、最も室外側となる部位に一段低くなった内部排水溝２２２ｋを有している。外部排水孔２２２ｉは、下枠部材２２２の内部排水溝２２２ｋに貯留された水を外部に排出するためのものである。外部排水孔２２２ｉには、排水弁２７０が設けてある。排水弁２７０は、弁体２７１によって外部排水孔２２２ｉの開口を開閉するもので、排水時以外は弁体２７１によって外部排水孔２２２ｉの開口を閉じた状態に維持している。
【００３７】
上記のように構成した玄関用ドアによれば、室外から風雨を受け、外側タイト材２２４と框部材２１２，２１３，２１４の見付け面との隙間から雨水が浸入し、さらにこの雨水が障子２１０の内側当接ヒレ部２１２ｃ，２１３ｃ，２１４ｃと内側タイト材２２５との隙間から浸入したり、複層ガラス２１１とガスケット２１５との隙間から雨水が浸入したとしても、これらの雨水が室内に浸入する事態を防止することができる。
【００３８】
すなわち、図５中の矢印で示すように、複層ガラス２１１とガスケット２１５との隙間から浸入した雨水は、框上方排水孔２１３ｄ及び框下方排水孔２１３ｅを通じて下方に排出され、下枠部材２２２の上面で受け止められる。また、外側タイト材２２４と框部材２１２，２１３，２１４の見付け面との隙間から浸入した雨水についても、下枠部材２２２の上面で受け止められる。これらの雨水は、下枠部材２２２の上面に設けた排水溝２２２ｆよりも室外側から浸入するものであるため、排水溝２２２ｆよりも室内側に至るおそれはほとんど無い。仮に、排水溝２２２ｆよりも室内側に雨水が到達し、障子２１０の内側当接ヒレ部２１２ｃ，２１３ｃ，２１４ｃと内側タイト材２２５との隙間を通過したとしても、この雨水は下枠部材２２２に設けた受け部２２２ｄの傾斜した上面に滴下することになるため、室内側に至るおそれがない。排水溝２２２ｆに貯留された雨水は、枠排水孔２２２ｇを介して下枠部材２２２の内部に排出される。受け部２２２ｄの上面に滴下した雨水についても、その傾斜に従って室外側に案内され、水受け排水孔２２２ｈを介して下枠部材２２２の内部に排出される。下枠部材２２２の内部に排出された雨水は、排水弁２７０を介して外部排水孔２２２ｉから室外に排出されことになる。これらの結果、室内側に雨水が浸入するおそれがない。
【００３９】
尚、上述した実施の形態では、ドアの本体面材２０に障子２１０を設けた建具を例示しているが、障子２１０が室内側に開くように設置される建具であれば、ドア以外のものにも適用することは可能である。
【００４０】
また、上述した実施の形態では、排水溝２２２ｆの枠排水孔２２２ｇをフリクションステー２４０の枠用ステーベース２４２によって覆い隠される位置に形成しているため、障子２１０を開いた状態においても枠排水孔２２２ｇが外部に露出することがなく、意匠性の点で有利となるが、必ずしもこれに限定されない。尚、枠排水孔２２２ｇを覆い隠すのは、必ずしもフリクションステー２４０の枠用ステーベース２４２に限らない。例えば、ヒンジによって開閉可能に支持された障子を適用したものの場合には、障子の開閉角度を規制するアームのベースによって枠排水孔を覆うように構成することも可能である。
【００４１】
さらに、上述した実施の形態では、下枠部材２２２に設けた外部排水孔２２２ｉに排水弁２７０を設けるようにしているが、排水弁２７０は必ずしも設ける必要はない。
【符号の説明】
【００４２】
２０  本体面材、２００  開口部、２１０  障子、２１１  複層ガラス、２１２，２１３，２１４  框部材、２１３ｅ  框下方排水孔、２２０  枠体、２２２  下枠部材、２２２ａ  枠基部、２２２ｄ  受け部、２２２ｅ  水返し、２２２ｆ  排水溝、２２２ｇ  枠排水孔、２２２ｉ  外部排水孔、２４０  フリクションステー、２４２  枠用ステーベース
【図１】
2015218485.tif 000003
【図２】
2015218485.tif 000004
【図３】
2015218485.tif 000005
【図４】
2015218485.tif 000006
【図５】
2015218485.tif 000007
【図６】
2015218485.tif 000008
【図７】
2015218485.tif 000009
【図８−１】
2015218485.tif 000010
【図８−２】
2015218485.tif 000011
【図８−３】
2015218485.tif 000012